(57)【特許請求の範囲】
【請求項１】
駆動源であるモータと、
前記モータを収容し前後方向に延びる本体胴体部と、前記本体胴体部から下方に延びるハンドル握り部と、を有するハウジングと、
前記本体胴体部の前部より突出する先端工具保持部と、
前記ハンドル握り部の下部に接続されるバッテリと、を有する電動工具であって、
前記ハンドル握り部の下部に着脱可能にネジ固定されるベース部と、前記ベース部に対して回動可能な環状部材と、を有し、
前記ベース部は、上下方向及び前後方向と交わる方向である左右方向に延びる突出部と、該突出部と一体的に形成され前記ハンドル握り部の下部に対して回転不能な延在部と、を有し、
前記環状部材は、前記延在部に対して前後方向に回動可能且つ固定可能であると共に、前記環状部材に引っ掛け部材を挿通可能に構成したことを特徴とする電動工具。
【請求項２】
前記ベース部はネジ被係合部を有し、
前記ネジ被係合部と係合可能なネジによって、前記ベース部を前記ハンドル握り部の下部に固定可能に構成したことを特徴とする請求項１記載の電動工具。
【請求項３】
前記環状部材はナスカンからなり、該ナスカンに引っ掛け部材を挿通可能に構成したことを特徴とする請求項１又は２記載の電動工具。
【請求項４】
前記環状部材は、前記バッテリより後方に突出するように構成されたことを特徴とする請求項１記載の電動工具。
【請求項５】
電動工具に着脱可能にネジ固定されたベース部に対して回動可能な環状部材を有し、
前記電動工具は、駆動源であるモータと、前記モータを収容し前後方向に延びる本体胴体部と、前記本体胴体部から下方に延びるハンドル握り部と、を有するハウジングと、を有し、
前記ベース部は、上下方向及び前後方向と交わる方向である左右方向に延びる突出部と、該突出部と一体的に形成され前記ハンドル握り部の下部に固定される延在部と、を有し、
前記環状部材は、前記延在部に対して前後方向に回動可能且つ固定可能であると共に、前記環状部材に引っ掛け部材を挿通可能に構成したことを特徴とする係止手段。
【発明の詳細な説明】
【技術分野】
【０００１】
本発明は作業者の腰ベルト等に掛止可能なナスカンと、ナスカン保持部を有する電動工具に関するものである。
【背景技術】
【０００２】
従来の電動工具を図１０を用いて説明する。図１０は、作業者の腰ベルト等に掛止する手段として、フック１を配設した電動工具の外観構造を示している。フック１は、電動工具からの突出量も少なくコンパクトであるため、電動工具を使用する場合は邪魔にもならず、取り回しも悪くない。
【０００３】
【特許文献１】特願２００７−２３９４８０号公報
【発明の開示】
【発明が解決しようとする課題】
【０００４】
図１０に示した従来のフック１は腰ベルト等に掛止する場合は、ベルトに引っ掛けるだけであり抜け止めもないため、作業や移動時の姿勢によっては腰ベルトから外れる恐れがあるという不具合があった。
【０００５】
本発明は、腰ベルト等に電動工具を掛止する場合、どのような作業や移動時にでも電動工具が腰ベルト等から外れることなく、安全性の高い掛止手段を持ち、且つ、電動工具使用時には作業者の邪魔にならない掛止手段を備えた電動工具を提供することを課題とする。
【課題を解決するための手段】
【０００６】
上記課題を解決するために本発明は、駆動源であるモータと、前記モータを収容し前後方向に延びる本体胴体部と、前記本体胴体部から下方に延びるハンドル握り部と、を有するハウジングと、前記本体胴体部の前部より突出する先端工具保持部と、前記ハンドル握り部の下部に接続されるバッテリと、を有する電動工具であって、前記ハンドル握り部の下部に着脱可能にネジ固定されるベース部と、前記ベース部に対して回動可能な環状部材と、を有し、前記ベース部は、上下方向及び前後方向と交わる方向である左右方向に延びる突出部と、該突出部と一体的に形成され前記ハンドル握り部の下部に対して回転不能な延在部と、を有し、前記環状部材は、前記延在部に対して前後方向に回動可能且つ固定可能であると共に、前記環状部材に引っ掛け部材を挿通可能に構成したことを特徴とする。
【０００７】
本発明の他の特徴は、ベース部はネジ被係合部を有し、前記ネジ被係合部と係合可能なネジによって、前記ベース部を前記ハンドル握り部の下部に固定可能に構成したことにある。
【０００８】
本発明の他の特徴は、環状部材はナスカンからなり、該ナスカンに引っ掛け部材を挿通可能に構成したことにある。
【０００９】
本発明の他の特徴は、前記環状部材を前記バッテリより後方に突出するように構成したことにある。
【発明の効果】
【００１０】
本発明によれば、どのような作業や移動時にもフックが腰ベルト等から外れることがない安全性の高く、作業者がフックを邪魔にならない位置へ任意に回動することができる電動工具を提供することができる。
【発明を実施するための最良の形態】
【００１１】
＜第１の実施形態＞
本発明を電動工具に適用した第１の実施形態を図１乃至図５を用いて説明する。図１は、ハウジング２及びプロテクタ３などの外枠を有するインパクトドライバであるが、略Ｔ字形状を成しており、ハウジング２によって形成される本体胴体部４には電気或いは空気式の駆動源であるモータや減速機構部を構成する遊星ギヤ部（図示省略）などを収容し、且つ本体胴体部４から垂下するハンドル握り部５にはモータに電力を供給するためのトリッガスイッチ６やバッテリ７の接続端子と電気的に接続される接点などが収容されている。
【００１２】
また、ハウジング２に当接して配置されるプロテクタ３内にはモータの回転動力を打撃力に変換するための打撃機構部及びビット等を保持するための先端工具保持部８などが収容されている。上記インパクトドライバのハンドル握り部５の下部には、抜け止め防止機能をもち、作業者のベルト等に掛止可能なフックとしての機能を有するナスカン９と、ナスカン９を固定するためのナスカン保持部１０が配設されている。
【００１３】
図２乃至図５を用いてナスカン９及びナスカン保持部１０の構造について具体的に説明する。図２は図１の部分拡大図、図３は図２の側面図、図４は図２のＡ−Ａ断面図でナスカン９固定状態、図５は図２のＡ−Ａ断面図でナスカン９を取外した状態である。ナスカン保持部１０の構成部品であるベース１１は、ハウジング２内に設けられたナット（図示せず）と、ベース止めネジ１２によりハウジング２に固定されている。ベース１１にはカバー１３の突起部１３ａを通し、はめ込むための穴１１ａが設けられており、穴１１ａにカバーの突起部１３ａをはめ込んでカバー１３の一端を抑え、もう一端はカバー止めネジ１４でベース１１とカバー１３を連結する構造となっている。なお、ナスカン９の交換は固定部材であるカバー止めネジ１４を取り外すことによって、カバー１３が外れるので、簡単に交換することができる。
【００１４】
ここで、ナスカン９はベース１１とカバー１３の間に弾性体１５を介して配設されている。弾性体１５を介してナスカン９を配設することで、次の２つの利点がある。１つは、弾性体１５は、ナスカン９の直径φの大きさに応じて変形してくれるので、作業者は任意の大きさのナスカン９を自由に装着することが可能である。２つは、弾性体１５は常にナスカン９を付勢しているので、図４のように作業者が任意の角度に回動が可能であり、ナスカン９で腰ベルト等に掛止しない場合は、ナスカン９を図４に示した（ａ）の位置や（ｂ）の位置に配置することで、工具本体を使用する場合に、邪魔にならず取り回しもよい。
【００１５】
次に、ナスカン９の構造について説明する。ナスカンのレバー９ａはレバーに内蔵されたスプリング（図示省略）によって、常に（ｃ）方向に付勢されている。ナスカン９を作業者の腰ベルト等に掛止する場合は、レバー９ａを（ｄ）方向に移動させ、腰ベルト等にナスカン９を通す。ナスカン９が通ったあとレバー９ａを離せば、内蔵されたスプリングによってレバー９ａは元の位置に戻り、ナスカン９が腰ベルト等から外れる心配はなくなる。このように、ナスカン９と、ナスカン９を固定するためのナスカン保持部１０を備えた電動工具を用いれば、どのような作業や移動時にも作業者の腰ベルト等から外れることがない安全性の高く、作業者がナスカン９を邪魔にならない位置へ任意に回動することができる電動工具を提供することができる。
＜第２の実施形態＞
第２の実施形態を図６、７を用いて説明する。図６は、図２の変形例を示す正面図であり、図７は、図６のＢ−Ｂ断面図である。この実施例では、カバー１３の形状を一部変形させ板バネ１３ｂとしての機能を持たせてある。この板バネ１３ｂは常にナスカン９を付勢させているので、前記弾性体１５と同様の機能を持たせることができる。よって別部品として弾性体１５を設ける必要なくなるので、安価で安全性、作業性にすぐれた電動工具を提供することができる。
＜第３の実施形態＞
第３の実施形態を図８、９を用いて説明する。図８は、図２の変形例を示す正面図であり、図９は、図８のＣ−Ｃ断面図である。この実施例では、ベース１１に数箇所の穴１１ａを設け、カバー１３には変形可能なカエリ１３ｂが設けてある。ベース１１に設けた穴１１ａにカバーのカエリ１３ｂを変形させながら挿入し、穴１１ａを通りきったら変形が開放されカバー１３とベース１１が連結される構造となっている。この構造にすることで、カバー１３とベース１１を連結するカバー止めネジ１４が不要になるため、簡単な構造且つ安価にすることができる。
【００１６】
第１〜３の実施形態では電動工具の一例としてインパクトドライバを用いて説明したが、インパクトドライバに限定されるものではなく、ドライバドリル、釘打機、丸鋸等その他の電動工具にも適用可能である。
【図面の簡単な説明】
【００１７】
【図１】本発明の一実施例を示す電動工具の外観図
【図２】本発明の一実施例を示す部分拡大図
【図３】本発明の一実施例を示す側面図
【図４】本発明の一実施例を示す断面図
【図５】本発明の一実施例を示す断面図
【図６】本発明の別の実施例を示す正面図
【図７】本発明の別の実施例を示す断面図
【図８】本発明の別の実施例を示す正面図
【図９】本発明の別の実施例を示す断面図
【図１０】従来技術による電動工具の外観図
【符号の説明】
【００１８】
１はフック、２はハウジング、３はプロテクタ、４は本体胴本部、５はハンドル握り部、６はスイッチ、７はバッテリ、８は先端工具保持部、９はナスカン、９ａはレバー、１０はナスカン保持部、１１はベース、１１ａは穴、１２はベース止めネジ、１３はカバー、１３ａはカバーの突起部、１３ｂはカエリ、１４はカバー止めネジ、１５は弾性体である。
【図１】
0005403312.tif 000002
【図２】
0005403312.tif 000003
【図３】
0005403312.tif 000004
【図４】
0005403312.tif 000005
【図５】
0005403312.tif 000006
【図６】
0005403312.tif 000007
【図７】
0005403312.tif 000008
【図８】
0005403312.tif 000009
【図９】
0005403312.tif 000010
【図１０】
0005403312.tif 000011